(57)【要約】【課題】複数の外部機器に表示された情報を大型ディスプレイに同時に表示させる際の利便性を向上させることができる情報処理装置および表示制御方法を提供する。【解決手段】実施形態の情報処理装置は、受信部と、表示制御部と、を備える。受信部は、外部機器から、当該外部機器が有する表示部の第１表示画面に表示された第１画像に対応する有効画像を含む第２画像の画像データを受信する。表示制御部は、複数の外部機器それぞれから受信した画像データに基づく複数の第２画像の画像数と、複数の第２画像それぞれが含む有効画像が縦長画像か若しくは横長画像かを示す情報と、の組み合わせに基づいて、第２表示画面における複数の第２画像のそれぞれに対応する表示領域の配置パターンを選択し、この選択した配置パターンに従って複数の第２画像それぞれの少なくとも有効画像を第２表示画面に表示させる。【選択図】図１
2015011578.tif 000002
【特許請求の範囲】
【請求項１】
外部機器から、当該外部機器が有する表示部の第１表示画面に表示された第１画像に対応する有効画像を含む第２画像の画像データを受信する受信部と、
複数の前記外部機器それぞれから受信した前記画像データに基づく複数の前記第２画像の画像数と、前記複数の第２画像それぞれが含む前記有効画像が縦長画像か若しくは横長画像かを示す情報と、の組み合わせに基づいて、第２表示画面における前記複数の第２画像のそれぞれに対応する表示領域の配置パターンを選択し、この選択した前記配置パターンに従って前記複数の第２画像それぞれの少なくとも前記有効画像を前記第２表示画面に表示させる表示制御部と、
を備えた情報処理装置。
【請求項２】
前記第２表示画面に表示された前記複数の第２画像それぞれの前記有効画像は、前記第２表示画面を含む仮想平面上に配置され、
前記表示制御部は、前記第２表示画面への新たな前記第２画像の追加処理または前記第２表示画面からの前記第２画像の削除処理を実行する場合、前記仮想平面上における前記追加処理または前記削除処理前の前記複数の第２画像の移動量が所定値以下の前記配置パターンを選択する請求項１に記載の情報処理装置。
【請求項３】
前記表示制御部は、前記追加処理または前記削除処理後に前記第２表示画面に表示される前記複数の第２画像のうち、前記外部機器における操作入力が少ない前記第１画像に対応する前記有効画像を含む前記第２画像に対して、縮小および前記第２表示画面の周囲方向への移動のうち少なくともいずれか一方を行う請求項２に記載の情報処理装置。
【請求項４】
前記表示制御部は、前記追加処理後の前記複数の第２画像の画像数が所定の上限画像数を超えた場合、前記追加処理後の前記複数の第２画像のうち、前記外部機器における操作入力が少ない前記第１画像に対応する前記有効画像を含む前記第２画像を非表示にする請求項２または３に記載の情報処理装置。
【請求項５】
前記画像データは、動画像ストリームデータであり、
前記表示制御部は、前記第２表示画面に対するスクロール操作に応じて前記非表示となっている第２画像を前記第２表示画面に表示させ、
前記受信部は、前記非表示となっている第２画像の前記動画像ストリームデータの受信を停止するとともに、前記スクロール操作により新たに表示された前記第２画像の前記動画像ストリームデータの受信を再開する請求項４に記載の情報処理装置。
【請求項６】
前記画像データは、動画像ストリームデータであり、
前記表示制御部は、前記追加処理後の前記複数の第２画像の画像数が前記所定の上限画像数を超える場合、前記複数の第２画像の一部を重ね合わせて前記第２表示画面に表示させるとともに、前記複数の第２画像のうち、前記外部機器における更新回数が多い前記第１画像に対応する前記有効画像を含む前記第２画像から順に手前に表示させる請求項２または３に記載の情報処理装置。
【請求項７】
前記表示制御部は、前記複数の第２画像それぞれに含まれる前記有効画像のみを前記第２表示画面に表示させる請求項１から６のいずれか一に記載の情報処理装置。
【請求項８】
前記表示制御部は、前記第２表示画面が縦長形状か若しくは横長形状かを示す形状情報と、前記複数の第２画像の画像数と、前記複数の第２画像それぞれが含む前記有効画像が縦長画像か若しくは横長画像かを示す情報と、の組み合わせに基づいて、前記配置パターンを選択する請求項１から７のいずれか一に記載の情報処理装置。
【請求項９】
前記第２表示画面は、縦長形状若しくは横長形状に変更可能であり、
前記表示制御部は、前記第２表示画面の変更に応じて、前記配置パターンを選択しなおす請求項８に記載の情報処理装置。
【請求項１０】
前記表示制御部は、前記複数の第２画像のうち選択指示が入力された前記第２画像を前記第２表示画面に全画面表示させ、前記全画面表示した第２画像の一部に重ねて、当該全画面表示した第２画像を除く前記複数の第２画像を、当該複数の第２画像の画像数と、当該複数の第２画像それぞれが縦長画像か若しくは横長画像かを示す情報との組み合わせに基づいて選択した前記配置パターンに従って前記第２表示画面に表示させる請求項１から９のいずれか一に記載の情報処理装置。
【請求項１１】
情報処理装置で実行される表示制御方法であって、
受信部が、外部機器から、当該外部機器が有する表示部の第１表示画面に表示された第１画像に対応する有効画像を含む第２画像の画像データを受信する過程と、
表示制御部が、複数の前記外部機器それぞれから受信した前記画像データに基づく複数の前記第２画像の画像数と、前記複数の第２画像それぞれが含む前記有効画像が縦長画像か若しくは横長画像かを示す情報と、の組み合わせに基づいて、第２表示画面における前記複数の第２画像のそれぞれに対応する表示領域の配置パターンを選択し、この選択した前記配置パターンに従って前記複数の第２画像それぞれの少なくとも前記有効画像を前記第２表示画面に表示させる過程と、
を含む表示制御方法。
【発明の詳細な説明】
【技術分野】
【０００１】
本発明の実施形態は、情報処理装置および表示制御方法に関する。
【背景技術】
【０００２】
複数人それぞれのスマートフォン等（外部機器の一例）に表示された手元の情報を同時に共有するために、当該複数人それぞれのスマートフォン等に表示された情報を、大型ディスプレイ（情報処理装置の一例）に同時に表示させるミラキャスト等のミラーリング機能が開示されている。
【先行技術文献】
【特許文献】
【０００３】
【特許文献１】特開２００６−２０５９７１号公報
【発明の概要】
【発明が解決しようとする課題】
【０００４】
しかしながら、従来技術においては、複数人それぞれのスマートフォン等に表示された情報を大型ディスプレイに同時に表示させる際、大型ディスプレイにおける、複数人それぞれのスマートフォン等に表示された情報の表示位置の調整等が煩わしい、という課題がある。
【０００５】
本発明は、上記に鑑みてなされたものであって、複数の外部機器に表示された情報を大型ディスプレイに同時に表示させる際の利便性を向上させることができる情報処理装置および表示制御方法を提供することを目的とする。
【課題を解決するための手段】
【０００６】
実施形態の情報処理装置は、受信部と、表示制御部と、を備える。受信部は、外部機器から、当該外部機器が有する表示部の第１表示画面に表示された第１画像に対応する有効画像を含む第２画像の画像データを受信する。表示制御部は、複数の外部機器それぞれから受信した画像データに基づく複数の第２画像の画像数と、複数の第２画像それぞれが含む有効画像が縦長画像か若しくは横長画像かを示す情報と、の組み合わせに基づいて、第２表示画面における複数の第２画像のそれぞれに対応する表示領域の配置パターンを選択し、この選択した配置パターンに従って複数の第２画像それぞれの少なくとも有効画像を第２表示画面に表示させる。
【図面の簡単な説明】
【０００７】
【図１】図１は、第１の実施形態にかかる表示制御システムの構成を示すブロック図である。
【図２】図２は、第１の実施形態にかかる情報処理装置が記憶する配置パターンの一例を示す図である。
【図３】図３は、第１の実施形態にかかる情報処理装置が記憶する配置パターンの一例を示す図である。
【図４】図４は、第１の実施形態にかかる情報処理装置が記憶する配置パターンの一例を示す図である。
【図５】図５は、第１の実施形態にかかる情報処理装置による複数の有効画像の表示処理の流れを示すフローチャートである。
【図６】図６は、第１の実施形態にかかる情報処理装置による有効画像の抽出処理を説明するための図である。
【図７】図７は、第１の実施形態にかかる情報処理装置において有効画像の位置を移動させる処理の流れを示すフローチャートである。
【図８】図８は、第１の実施形態にかかる情報処理装置において有効画像の位置を移動させる処理を説明するための図である。
【図９】図９は、第２の実施形態にかかる表示制御システムの構成を示すブロック図である。
【図１０】図１０は、第２の実施形態にかかる情報処理装置において配置パターンを選択しなおす一例を示す図である。
【図１１】図１１は、第３の実施形態にかかる表示制御システムの構成を示すブロック図である。
【図１２】図１２は、第３の実施形態にかかる情報処理装置による表示画面の形状の変更に応じた配置パターンの選択処理の流れを示すフローチャートである。
【図１３】図１３は、第３の実施形態にかかる情報処理装置による表示画面の形状の変更に応じた配置パターンの選択を説明するための図である。
【図１４】図１４は、第４の実施形態にかかる表示制御システムの構成を示すブロック図である。
【図１５】図１５は、第４の実施形態にかかる情報処理装置において追加処理に応じて共有用映像を非表示にする処理の流れを示すフローチャートである。
【図１６】図１６は、第４の実施形態にかかる情報処理装置において追加処理に応じて共有用映像を非表示にする処理を説明するための図である。
【図１７】図１７は、変形例１にかかる情報処理装置において追加処理に応じて複数の有効画像の一部を重ね合わせて表示画面に表示させる処理を説明するための図である。
【図１８】図１８は、変形例２にかかる情報処理装置において複数の有効画像のうち一の有効画像を全画面表示する処理を説明するための図である。
【発明を実施するための形態】
【０００８】
以下、添付の図面を用いて、本実施形態にかかる表示制御システムについて説明する。
【０００９】
（第１の実施形態）
図１は、第１の実施形態にかかる表示制御システムの構成を示すブロック図である。図２〜４は、第１の実施形態にかかる情報処理装置が記憶する配置パターンの一例を示す図である。本実施形態にかかる表示制御システム１は、図１に示すように、スマートフォン，タブレット端末，ノートＰＣ（Personal  Computer）等の複数の携帯端末装置１００（外部機器の一例）と、デジタルサイネージ，デジタルテレビジョン等の情報処理装置２００と、を有している。携帯端末装置１００と情報処理装置２００とは、無線ＬＡＮ（Local  Area  Network）等のネットワークを介して接続されている。
【００１０】
そして、表示制御システム１は、携帯端末装置１００に表示された各種情報をミラキャスト等のディスプレイ伝送技術を用いて情報処理装置２００と共有する場合、携帯端末装置１００が有する表示部１０１の表示画面１０１ａ（第１表示画面の一例）に表示された各種情報を情報処理装置２００に送信することにより、当該各種情報を情報処理装置２００が有する映像表示部２１０の表示画面２１０ａ（第２表示画面の一例）に表示させることができる。
【００１１】
携帯端末装置１００は、表示部１０１と、映像送信部１０２と、を備える。表示部１０１は、ＬＣＤ（Liquid  Crystal  Display）や有機ＥＬ（Electro  Luminescence）ディスプレイ等で構成される表示画面１０１ａを有する。表示画面１０１ａは、図示しない制御部の制御の下、動画像等の端末映像（第１画像の一例）等の各種情報を表示可能である。
【００１２】
映像送信部１０２は、表示画面１０１ａに表示された端末映像をディスプレイ伝送技術を用いて情報処理装置２００と共有する場合に、当該端末映像に対応する有効画像を含む共有用映像（第２画像の一例）の画像データを情報処理装置２００に送信する。例えば、映像送信部１０２は、端末映像が動画像である場合、動画像ストリームデータを画像データとして情報処理装置２００に送信する。ここで、端末映像に対応する有効画像とは、端末映像を情報処理装置２００の表示画面２１０ａに表示した場合に、当該端末映像に相当する画像である。
【００１３】
本実施形態では、映像送信部１０２は、情報処理装置２００への画像データの送信に先立って、情報処理装置２００の表示画面２１０ａの解像度など当該情報処理装置２００の機能に関するデバイス情報を受信する。次いで、映像送信部１０２は、受信したデバイス情報（例えば、解像度など）に従って、端末映像に対応する有効画像を含みかつ情報処理装置２００の表示画面２１０ａに表示可能な解像度に変換した共有用映像を生成し、生成した共有用映像の画像データを情報処理装置２００に送信する。
【００１４】
情報処理装置２００は、大別すると、制御部２０１と、映像表示部２１０と、を備える。映像表示部２１０は、ＬＣＤ等で構成される表示画面２１０ａを有する。表示画面２１０ａは、後述する制御部２０１の制御の下、携帯端末装置１００から送信された共有用映像等の各種情報を表示可能である。また、表示画面２１０ａは、縦長形状若しくは横長形状に変更可能である。
【００１５】
制御部２０１は、情報処理装置２００全体を制御する。本実施形態では、制御部２０１は、配置パターン記憶部２０２と、映像受信部２０３と、表示制御部２０４と、を備える。映像受信部２０３は、携帯端末装置１００の表示画面１０１ａに表示された端末映像をディスプレイ伝送技術を用いて共有する場合、携帯端末装置１００から、画像データを受信する。
【００１６】
配置パターン記憶部２０２は、映像表示部２１０が有する表示画面２１０ａにおける共有用映像に対応する表示領域の配置パターンを記憶する。本実施形態では、配置パターン記憶部２０２は、図２および図３に示すように、映像受信部２０３により複数の携帯端末装置１００それぞれから受信した画像データに基づく複数の共有用映像の画像数が所定の上限画像数（例えば、「４」など）以下である場合における、当該複数の共有用画像それぞれに対応する表示領域Ｒの配置パターンを記憶している。
【００１７】
本実施形態では、配置パターン記憶部２０２は、表示画面２１０ａが横長形状に変更された場合における配置パターンＰ１，Ｐ２，Ｐ３，Ｐ４１〜４２，Ｐ５，Ｐ６１〜６４，Ｐ７１〜７２，Ｐ８１〜８３，Ｐ９，Ｐ１０，Ｐ１１１〜１１３，Ｐ１２１〜１２２，Ｐ１３１〜Ｐ１３３，Ｐ１４（図２参照）と、表示画面２１０ａが縦長形状に変更された場合における配置パターンＰ１５，Ｐ１６，Ｐ１７，Ｐ１８，Ｐ１９，Ｐ２０１〜２０２，Ｐ２１１〜２１２，Ｐ２２１〜２２２，Ｐ２３，Ｐ２４，Ｐ２５１〜２５２，Ｐ２６１〜２６２，Ｐ２７１〜２７２，Ｐ２８（図３参照）と、を記憶している。
【００１８】
例えば、配置パターンＰ７１〜７２は、表示画面２１０ａに表示させる共有用映像の画像数が「３」であり、３つの共有用映像のうち２つの共有用映像が含む有効画像が横長画像で残りの１つの共有用映像が含む有効画像が縦長画像である場合に選択可能な配置パターンである。より具体的には、配置パターンＰ７１は、図４に示すように、表示画面２１０ａに向かって左側に横長の２つの有効画像に対応する２つの表示領域Ｒが上下方向に配置され、表示画面２１０ａに向かって右側に縦長の１つの有効画像に対応する１つの表示領域Ｒが配置された配置パターンである。一方、配置パターンＰ７２は、表示画面２１０ａに向かって左側に縦長の１つの有効画像に対応する１つの表示領域Ｒが配置され、表示画面２１０ａに向かって右側に横長の２つの有効画像に対応する２つの表示領域Ｒが配置された配置パターンである。
【００１９】
表示制御部２０４は、映像表示部２１０が有する表示画面２１０ａへの各種情報の表示を制御する。また、表示制御部２０４は、ディスプレイ伝送技術を用いて携帯端末装置１００から画像データを受信した場合、当該受信した画像データに基づく共有用映像を表示画面２１０ａに表示させる。
【００２０】
また、表示制御部２０４は、複数の携帯端末装置１００から画像データを受信した場合、当該複数の携帯端末装置１００それぞれから受信した画像データに基づく複数の共有用映像の画像数と、当該複数の共有用映像それぞれが含む有効画像が縦長画像か若しくは横長画像かを示す情報と、の組み合わせに基づいて、配置パターン記憶部２０２から配置パターンを選択する。そして、表示制御部２０４は、当該選択した配置パターンに従って、当該複数の共有用映像それぞれの少なくとも有効画像（本実施形態では、複数の共有用映像それぞれに含まれる有効画像のみ）を表示画面２１０ａに表示させる。本実施形態では、情報処理装置２００の表示画面２１０ａに表示された複数の共有用映像それぞれに少なくとも有効画像は、表示画面２１０ａを含む仮想平面上に配置されているものと仮定する。
【００２１】
本実施形態では、表示制御部２０４は、受信した画像データに基づく共有用映像に含まれる有効画像のアスペクト比を示すアスペクト情報を取得するとともに当該アスペクト情報に基づいて有効画像が縦長画像か若しくは横長画像かを判定する映像解析部２０５、配置パターン記憶部２０２から配置パターンを選択する表示領域管理部２０６、共有用映像に含まれる有効画像が表示画面２１０ａに収まるように画像サイズを変更する映像スケーラ２０７、および表示領域管理部２０６により選択された配置パターンに従って映像スケーラ２０７により画像サイズが変更された有効画像を表示画面２１０ａに表示させる映像合成部２０８を備えている。
【００２２】
次に、図１〜６を用いて、本実施形態にかかる情報処理装置２００による複数の共有用映像それぞれに含まれる有効画像の表示処理について詳細に説明する。図５は、第１の実施形態にかかる情報処理装置による複数の有効画像の表示処理の流れを示すフローチャートである。図６は、第１の実施形態にかかる情報処理装置による有効画像の抽出処理を説明するための図である。
【００２３】
映像受信部２０３は、携帯端末装置１００から当該携帯端末装置１００の表示画面１０１ａに表示された各種情報の共有が要求されると、当該携帯端末装置１００からの新たな画像データの受信を開始する。本実施形態では、映像受信部２０３は、携帯端末装置１００から送信された動画像ストリームデータを画像データとして受信する。一方、映像受信部２０３は、携帯端末装置１００から当該携帯端末装置１００の表示画面１０１ａに表示された各種情報の共有の終了が要求されると、当該携帯端末装置１００からの画像データの受信を終了する。
【００２４】
映像解析部２０５は、映像受信部２０３による新たな画像データの受信が開始されると、受信した新たな画像データに基づく共有用映像を解析する。具体的には、映像解析部２０５は、図６（ａ）に示すように、受信した新たな画像データに基づく共有用映像を左右方向にスキャンする。そして、映像解析部２０５は、共有用映像を左右方向にスキャンして得られたスキャン結果（図６（ｂ）参照）に基づいて、共有用映像から有効画像を抽出する。さらに、映像解析部２０５は、抽出した有効画像のアスペクト比を示すアスペクト情報を取得するとともに、取得したアスペクト情報に基づいて当該有効画像が縦長画像か若しくは横長画像かを判定する。
【００２５】
表示領域管理部２０６は、情報処理装置２００の表示画面２１０ａに既に表示された各有効画像の表示画面２１０ａ上における位置を示す位置情報および当該各有効画像のアスペクト比を示すアスペクト情報を取得する（ステップＳ４０１）。そして、表示領域管理部２０６は、取得したアスペクト情報が示す各有効画像のアスペクト比に従って、表示画面２１０ａに既に表示されている各有効画像が縦長画像か若しくは横長画像かを判定する。
【００２６】
表示領域管理部２０６は、映像受信部２０３により新たな画像データを受信した場合、受信した新たな画像データに基づく共有用映像に含まれる有効画像を、仮想平面上において表示画面２１０ａに向かって当該表示画面２１０ａの右辺の外側に仮想的に配置する（ステップＳ４０２）。これにより、表示領域管理部２０６は、表示画面２１０ａへの新たな共有用映像の追加処理を実行する。一方、表示領域管理部２０６は、携帯端末装置１００の表示画面１０１ａに表示された各種情報の共有の終了が要求された場合、当該携帯端末装置１００から受信した画像データに基づく共有用映像に含まれる有効画像の表示画面２１０ａへの表示を終了させる。これにより、表示領域管理部２０６は、表示画面２１０ａからの共有用映像の削除処理を実行する。
【００２７】
次いで、表示領域管理部２０６は、新たな共有用映像の追加処理を実行した場合、配置パターン記憶部２０２から、取得した位置情報およびアスペクト情報に基づいて、表示画面２１０ａに既に表示された有効画像および新たな共有用映像が含む有効画像の配置パターンの候補を選択する（ステップＳ４０３）。一方、表示領域管理部２０６は、共有用映像の削除処理を実行した場合、配置パターン記憶部２０２から、取得した位置情報およびアスペクト情報に基づいて、表示画面２１０ａに既に表示された有効画像のうち削除処理を実行した共有用映像が含む有効画像を除く有効画像の配置パターンの候補を選択する。
【００２８】
本実施形態では、表示領域管理部２０６は、取得した位置情報と追加処理または削除処理を実行する共有用映像の数とに基づいて、追加処理後または削除処理後の表示画面２１０ａに表示される有効画像の画像数を特定する。すなわち、表示領域管理部２０６は、複数の携帯端末装置１００それぞれから受信した画像データに基づく複数の共有用映像の画像数を特定する。次いで、表示領域管理部２０６は、特定した画像数と、追加処理後または削除処理後の表示画面２１０ａに表示される有効画像それぞれが縦長画像か若しくは横長画像かを示す情報と、表示画面２１０ａの変更（すなわち、表示画面２１０ａが縦長形状か若しくは横長形状かを示す形状情報）と、の組み合わせに基づいて、配置パターン記憶部２０２から配置パターンの候補を選択する。
【００２９】
ここで、表示画面２１０ａが横長形状に変更されている場合における配置パターンの選択方法の一例について説明する。ここでは、表示画面２１０ａが横長形状に変更されている場合における配置パターンの選択方法について説明するが、表示画面２１０ａが縦長形状に変更されている場合における配置パターンの選択も同様に行うものとする。
【００３０】
表示領域管理部２０６は、配置パターンＰ１に従って既に１つの横長の有効画像が表示画面２１０ａに表示され、特定した画像数が「２」でありかつ追加処理を実行する共有用映像が含む有効画像が縦長画像である場合、図２に示す複数の配置パターンから、横長形状の表示領域Ｒおよび縦長形状の表示領域Ｒをそれぞれ１つずつ有する配置パターンＰ４１〜４２を配置パターンの候補として選択する。
【００３１】
また、表示領域管理部２０６は、配置パターンＰ４１に従って既に２つの有効画像が表示画面２１０ａに表示され、特定した画像数が「３」でありかつ追加処理を実行する共有用映像が含む有効画像が横長画像である場合、図２に示す複数の配置パターンから、横長形状の表示領域Ｒを２つ有しかつ縦長形状の表示領域Ｒを１つ有する配置パターンＰ７１〜７２を配置パターンの候補として選択する。
【００３２】
また、表示領域管理部２０６は、配置パターンＰ７１に従って既に３つの有効画像が表示され、特定した画像数が「４」でありかつ追加処理を実行する共有用映像が含む有効画像が横長画像である場合、図２に示す複数の配置パターンから、横長形状の表示領域Ｒを３つ有しかつ縦長形状の表示領域Ｒを１つ有する配置パターンＰ１１１〜１１３を配置パターンの候補として選択する。
【００３３】
図５に戻り、表示領域管理部２０６は、選択した各配置パターンの候補について、表示画面２１０ａを含む仮想平面上における、追加処理前または削除処理前に表示画面２１０ａに表示された各有効画像の元の位置（例えば、各有効画像の中心座標）と、当該各配置パターンの候補における当該元の位置に対応する位置（移動位置）と、の移動量（差分）の合計を算出する。そして、表示領域管理部２０６は、算出した合計を各配置パターンの候補の評価値とする（ステップＳ４０４）。
【００３４】
次いで、表示領域管理部２０６は、選択した各配置パターンの候補のうち、配置パターンの候補の評価値が最も小さい値の配置パターンの候補（言い換えると、追加処理前または削除処理前に表示画面２１０ａに表示された有効画像の移動量が最も少ない配置パターンの候補）を、表示画面２１０ａにおける共有用画像それぞれに対応する表示領域の配置パターンとして選択する（ステップＳ４０５）。
【００３５】
例えば、表示領域管理部２０６は、配置パターンＰ４１に従って既に２つの有効画像が表示画面２１０ａに表示されている状態において追加処理が実行されて配置パターンＰ７１〜７２が配置パターンの候補として選択された場合（図２および図４参照）、配置パターンＰ７１〜７２のうち、追加処理前に表示画面２１０ａに向かって左側に配置された横長画像の有効画像を上方向または下方向に移動させた配置パターンＰ７１を、移動量が最も少ない配置パターンとして選択する。
【００３６】
本実施形態では、表示領域管理部２０６は、追加処理前または削除処理前に表示画面２１０ａに表示された有効画像の移動量を評価値としているが、これに限定するものではない。例えば、表示領域管理部２０６は、追加処理前または削除処理前に表示画面２１０ａに表示された各有効画像の重要度に基づいて、選択した各配置パターンの候補について評価値を算出しても良い。
【００３７】
具体的には、表示領域管理部２０６は、追加処理前または削除処理前に表示画面２１０ａに表示された各有効画像のうち重要度が低い有効画像が表示画面２１０ａに向かって左側に配置されている配置パターンの候補の評価値を高くする。ここで、重要度は、映像受信部２０３により受信する画像データに基づく共有用映像が含む有効画像の更新の頻度に基づいて決定され、当該更新の頻度が高くなるに従い高くなる。そして、表示領域管理部２０６が、選択した各配置パターンの候補のうち、評価値が最も小さい値の配置パターンの候補を配置パターンとして選択することにより、重要度が低い有効画像を表示画面２１０ａに向かって左側に移動させることができる。
【００３８】
また、本実施形態では、表示領域管理部２０６は、評価値が最も小さい値の配置パターンの候補を配置パターンとして選択しているが、仮想平面上における追加処理前に表示画面２１０ａに表示された有効画像の移動量が所定値以下の配置パターンを選択するものであれば良い。例えば、表示領域管理部２０６は、選択した各配置パターンの候補のうち、仮想平面上における追加処理前に表示画面２１０ａに表示された有効画像の移動量が２番目に少ない配置パターンを選択しても良い。
【００３９】
映像合成部２０８は、選択された配置パターンに従って、追加処理後または削除処理後の複数の有効画像を表示画面２１０ａに表示させる。これにより、映像合成部２０８は、選択された配置パターンに従って、複数の携帯端末装置１００から受信した複数の画像データに基づく複数の共有用映像それぞれが含む有効画像を表示画面２１０ａに表示させる。
【００４０】
本実施形態では、映像スケーラ２０７は、選択された配置パターンに従って複数の共有用映像それぞれが含む有効画像を表示画面２１０ａに表示した場合に、当該複数の共有用映像それぞれが含む有効画像のアスペクト比を維持したまま当該有効画像が表示画面２１０ａ内に収まる最大の画像サイズとなるように、当該有効画像の画像サイズを変更する。
【００４１】
そして、映像スケーラ２０７は、画像サイズを変更した各有効画像を映像合成部２０８に出力する。映像合成部２０８は、選択された配置パターンに従って、画像サイズが変更された複数の有効画像を表示画面２１０ａに表示させる。
【００４２】
次に、図７および図８を用いて、選択された配置パターンに従って、表示画面２１０ａ（仮想平面）上における有効画像の位置を移動させる処理について説明する。図７は、第１の実施形態にかかる情報処理装置において有効画像の位置を移動させる処理の流れを示すフローチャートである。図８は、第１の実施形態にかかる情報処理装置において有効画像の位置を移動させる処理を説明するための図である。
【００４３】
図５のステップＳ４０４において各配置パターンの候補の評価値が算出されると、表示領域管理部２０６は、追加処理前または削除処理前の表示画面２１０ａ（仮想平面）上での各有効画像の位置（以下、開始点Ｓと言う）を示す第１位置情報を取得する（ステップＳ７０１）。
【００４４】
次いで、表示領域管理部２０６は、算出した評価値に基づいて、配置パターンの候補の中から、配置パターンを選択する（ステップＳ７０２）。そして、表示領域管理部２０６は、選択した配置パターンに従って追加処理後または削除処理後の複数の有効画像を表示画面２１０ａに配置させた場合における、表示画面２１０ａ（仮想平面）上での各有効画像の位置（以下、終着点Ｅと言う）を示す第２位置情報を取得する（ステップＳ７０３）。
【００４５】
映像合成部２０８は、追加処理前または削除処理前に表示画面２１０ａに表示された有効画像が、第１位置情報が示す開始点Ｓから第２位置情報が示す終着点Ｅまで移動するまでに経過した経過時間ｔをパラメータとする関数（下記の式（１）参照）を用いて、当該有効画像が開始点Ｓから終着点Ｅまで移動する過程で通過する中間位置Ｐを算出する（ステップＳ７０４）。本実施形態では、経過時間ｔは、０〜１秒の間の値とする。映像合成部２０８は、追加処理前または削除処理前に表示画面２１０ａに表示された各有効画像について中間位置Ｐを算出する。
Ｐ＝Ｓ×（１−ｔ）＋Ｅ×ｔ・・・（１）
【００４６】
次いで、映像合成部２０８は、追加処理前または削除処理前に表示画面２１０ａに表示された有効画像を、当該有効画像について算出した中間位置Ｐに表示させる。そして、映像合成部２０８は、追加処理前または削除処理前に表示画面２１０ａに表示された有効画像が、終着点Ｅに移動するまでステップＳ７０４に示す処理を繰り返す（ステップＳ７０５：Ｎｏ）。これにより、映像合成部２０８は、選択された配置パターンに従って、表示画面２１０ａ上における有効画像の位置を移動させる際に、当該有効画像が連続的に移動するように表示することができる。
【００４７】
例えば、配置パターンＰ７１に従って表示画面２１０ａに表示された有効画像（表示画面２１０ａに向かって左下の有効画像）の削除処理が実行されて配置パターンＰ４１が選択された場合、映像合成部２０８は、所定時間（例えば、０．５秒）毎に、表示画面２１０ａに向かって左上の有効画像の中間位置Ｐを算出する。そして、映像合成部２０８は、図８に示すように、中間位置Ｐが算出される度に、表示画面２１０ａに向かって左上の有効画像を当該算出した中間位置Ｐに移動させることにより、当該有効画像を連続的に移動させる。
【００４８】
このように、第１の実施形態にかかる情報処理装置２００によれば、複数の携帯端末装置１００に表示された複数の端末映像に相当する有効画像を情報処理装置２００の表示画面２１０ａに同時に表示させる場合に、有効画像の表示位置の調整をユーザが行う必要がないので、複数の携帯端末装置１００に表示された複数の端末映像に相当する有効画像を情報処理装置２００に表示させる際の利便性を向上させることができる。
【００４９】
また、第１の実施形態にかかる情報処理装置２００の表示領域管理部２０６は、追加処理または削除処理後に表示画面２１０ａに表示される複数の共有用画像のうち、携帯端末装置１００における操作入力が少ない端末映像に対応する有効画像を含む共有用画像に対して、縮小および表示画面２１０ａの周囲方向への移動のうち少なくともいずれか一方を行っても良い。
【００５０】
（第２の実施形態）
本実施形態は、情報処理装置の表示画面に表示された有効画像が横長画像から縦長画像若しくは縦長画像から横長画像に変換された場合に、配置パターンを選択しなおす例である。以下の説明では、第１の実施形態と同様の箇所については説明を省略する。
【００５１】
図９は、第２の実施形態にかかる表示制御システムの構成を示すブロック図である。図１０は、第２の実施形態にかかる情報処理装置において配置パターンを選択しなおす一例を示す図である。本実施形態にかかる情報処理装置９００の制御部９０１は、配置パターン記憶部２０２、映像受信部２０３、および表示制御部９０２を有している。表示制御部９０２は、表示画面２１０ａに表示された有効画像が横長画像から縦長画像若しくは縦長画像から横長画像に変換された場合に、配置パターンを選択しなおす。
【００５２】
本実施形態では、表示領域管理部９０３は、受信した画像データに基づく共有用映像に含まれる有効画像を表示画面２１０ａに表示している間に、映像解析部２０５により少なくとも１つの有効画像が横長画像から縦長画像若しくは縦長画像から横長画像に変換されたと判定された場合、表示画面２１０ａに表示されている有効画像の画像数と、変更後の有効画像が縦長画像か若しくは横長画像かを示す情報と、の組み合わせに基づいて、配置パターン記憶部２０２から配置パターンの候補を選択しなおす。
【００５３】
次いで、表示領域管理部９０３は、選択した各配置パターンの候補について、仮想平面上における、表示画面２１０ａに表示されている各有効画像の元の位置と移動位置との移動量の合計を算出する。表示領域管理部９０３は、算出した合計を各配置パターンの候補の評価値とする。そして、表示領域管理部９０３は、選択した各配置パターンの候補のうち、配置パターンの候補の評価値が最も小さい値の配置パターンの候補（言い換えると、表示画面２１０ａに表示された有効画像の移動量が最も少ない配置パターンの候補）を、表示画面２１０ａにおける共有用画像それぞれに対応する表示領域の配置パターンとして選択しなおす。
【００５４】
例えば、図１０に示すように、２つの横長の表示領域Ｒ−Ａ，Ｒ−Ｂおよび１つの縦長形状の表示領域Ｒ−Ｃを有する配置パターンＰ７１に従って表示画面２１０ａに有効画像が表示されている際に、表示領域Ｒ−Ａに対応する有効画像が横長画像から縦長画像に変換された場合、表示領域管理部９０３は、配置パターン記憶部２０２から、３つの配置パターンＰ８１〜８３を配置パターンの候補として選択する。次いで、表示領域管理部９０３は、３つの配置パターンＰ８１〜８３から、評価値が最も小さい値の配置パターンＰ８２（言い換えると、表示画面２１０ａに表示された有効画像の移動量が最も少ない配置パターンＰ８２）を選択する。これにより、表示画面２１０ａに表示された有効画像が横長画像から縦長画像若しくは縦長画像から横長画像に変換されて配置パターンが選択しなおされた場合に、配置パターンの選択しなおされる前の有効画像と、配置パターンが選択しなおされた後の有効画像との対応を把握しやすくなる。
【００５５】
このように、第２の実施形態にかかる情報処理装置９００によれば、表示画面２１０ａに表示された有効画像が横長画像から縦長画像若しくは縦長画像から横長画像に変換された場合に、ユーザが有効画像の表示位置を調整する必要がないので、表示画面２１０ａに表示された有効画像が横長画像から縦長画像若しくは縦長画像から横長画像に変換された際の利便性を向上させることができる。
【００５６】
（第３の実施形態）
本実施形態は、情報処理装置の表示画面の縦長形状若しくは横長形状への変更に応じて、配置パターンを選択しなす例である。以下の説明では、第１の実施形態と同様の箇所については説明を省略する。
【００５７】
図１１は、第３の実施形態にかかる表示制御システムの構成を示すブロック図である。図１２は、第３の実施形態にかかる情報処理装置による表示画面の形状の変更に応じた配置パターンの選択処理の流れを示すフローチャートである。図１３は、第３の実施形態にかかる情報処理装置による表示画面の形状の変更に応じた配置パターンの選択を説明するための図である。本実施形態にかかる情報処理装置１１００の制御部１１０１は、配置パターン記憶部２０２、映像受信部２０３、および表示制御部１１０２を有している。表示制御部１１０２は、表示画面２１０ａの縦長形状若しくは横長形状への変更に応じて、配置パターンを選択しなおす。
【００５８】
本実施形態では、表示領域管理部１１０３は、表示画面２１０ａが９０度回転して縦長形状若しくは横長形状に変更されると、表示画面２１０ａに既に表示された有効画像の当該表示画面２１０ａ上における位置を示す位置情報および当該有効画像のアスペクト比を示すアスペクト情報を取得する（ステップＳ１２０１）。そして、表示領域管理部１１０３は、取得した位置情報に基づいて、表示画面２１０ａに表示されている有効画像の画像数を特定する。さらに、表示領域管理部１１０３は、取得したアスペクト情報に基づいて、表示画面２１０ａに表示されている有効画像が縦長画像若しくは横長画像かを判定する。
【００５９】
次に、表示領域管理部１１０３は、配置パターン記憶部２０２に記憶された配置パターンのうち表示画面２１０ａが９０度回転した時の配置パターン（すなわち、図２に示す配置パターンまたは図３に示す配置パターン）から、取得した位置情報に基づいて特定した画像数と、取得したアスペクト情報に基づいて判定した有効画像が縦長画像か若しくは横長画像かを示す情報と、の組み合わせに基づいて、配置パターンの候補を選択する（ステップＳ１２０２）。
【００６０】
さらに、表示領域管理部１１０３は、選択した複数の配置パターンそれぞれについて、仮想平面上における、９０度回転する前に表示画面２１０ａに表示された各有効画像の元の位置と、当該各配置パターンの候補における当該元に位置に対応する位置と、の移動量（差分）の合計を算出する。そして、表示領域管理部１１０３は、算出した合計を各配置パターンの候補の評価値とする（ステップＳ１２０３）。
【００６１】
そして、表示領域管理部１１０３は、選択した配置パターンの候補のうち、評価値が最も小さい値の配置パターンの候補（言い換えると、９０度回転する前に表示画面２１０ａに表示された有効画像の移動量が最も少ない配置パターンの候補）を、配置パターンとして選択する（ステップＳ１２０４）。
【００６２】
例えば、図１３に示すように、２つの横長形状の表示領域Ｒ−Ａ，Ｒ−Ｂおよび１つの縦長形状の表示領域Ｒ−Ｃを有する配置パターンＰ７１に従って表示画面２１０ａに有効画像が表示されている際に、表示画面２１０ａが９０度回転して当該表示画面２１０ａが縦長形状に変更された場合、表示領域管理部１１０３は、図３に示す配置パターンから、３つの配置パターンＰ２２１〜２２３を配置パターンの候補として選択する。次いで、表示領域管理部１１０３は、３つの配置パターンＰ２２１〜２２３から、評価値が最も小さい値の配置パターンＰ２２２（言い換えると、表示画面２１０ａに表示された有効画像の移動量が最も少ない配置パターンＰ２２２）を選択する。これにより、表示画面２１０ａの縦長形状若しくは横長形状に変更されて配置パターンが選択しなおされた場合に、配置パターンの選択しなおされる前の有効画像と、配置パターンが選択しなおされた後の有効画像との対応を把握しやすくなる。
【００６３】
このように、第３の実施形態にかかる情報処理装置１１００によれば、表示画面２１０ａの縦長形状若しくは横長形状への変更された場合に、ユーザが有効画像の表示位置を調整する必要がないので、表示画面２１０ａが横長形状から縦長形状若しくは縦長形状から横長形状に変更された際の利便性を向上させることができる。
【００６４】
（第４の実施形態）
本実施形態は、追加処理後の共有用映像の画像数が所定の上限画像数を超えた場合、追加処理後の複数の共有用映像のうち、携帯端末装置における操作入力が少ない端末映像に対応する有効画像を含む共有用映像を非表示にする例である。以下の説明では、上述の実施形態と同様の箇所については説明を省略する。
【００６５】
図１４は、第４の実施形態にかかる表示制御システムの構成を示すブロック図である。図１５は、第４の実施形態にかかる情報処理装置において追加処理に応じて共有用映像を非表示にする処理の流れを示すフローチャートである。図１６は、第４の実施形態にかかる情報処理装置において追加処理に応じて共有用映像を非表示にする処理を説明するための図である。本実施形態にかかる情報処理装置１４００の制御部１４０１は、配置パターン記憶部２０２、映像受信部２０３、および表示制御部１４０２を有している。表示制御部１４０２は、追加処理後の共有用映像の画像数が所定の上限画像数を超えた場合、追加処理後の複数の共有用映像のうち、携帯端末装置１００における操作入力が少ない端末映像に対応する有効画像を含む共有用映像を非表示にする。
【００６６】
本実施形態では、表示領域管理部１４０３は、映像受信部２０３により新たな画像データが受信されると（ステップＳ１５０１）、受信した新たな画像データに基づく共有用映像が含む有効画像を表示画面２１０ａに表示させた場合に当該表示画面２１０ａに表示される有効画像の画像数が所定の上限画像数（本実施形態では、「４」）を超えたか否かを判断する（ステップＳ１５０２）。
【００６７】
そして、表示画面２１０ａに表示される有効画像の画像数が所定の上限画像数を超える場合（ステップＳ１５０２：Ｙｅｓ）、表示領域管理部１４０３は、表示画面２１０ａに表示されている有効画像のうち、携帯端末装置１００における操作入力が最も少ない端末映像に対応する有効画像を選択するとともに、映像受信部２０３を制御して、当該選択した有効画像を含む共有用映像の画像データの受信を停止させる（ステップＳ１５０３）。本実施形態では、表示領域管理部１４０３は、表示画面２１０ａに表示される有効画像を含む共有用映像の画像データの送信先の携帯端末装置１００から、表示画面２１０ａに表示される有効画像に対応する端末映像に対する操作入力の回数を予め取得しておくものとする。
【００６８】
また、表示領域管理部１４０３は、当該選択した有効画像を、仮想平面上において表示画面２１０ａに向かって当該表示画面２１０ａの左辺の外側に配置して、当該選択した有効画像を非表示にする（ステップＳ１５０３）。さらに、表示領域管理部１４０３は、受信した新たな画像データに基づく共有用映像が含む有効画像を、仮想平面上において表示画面２１０ａに向かって当該表示画面２１０ａの右辺の外側に仮想的に配置する（ステップＳ１５０４）。
【００６９】
次いで、表示領域管理部１４０３は、表示画面２１０ａに表示されている有効画像および新たな画像データに基づく共有用映像が含む有効画像の画像数と、表示画面２１０ａに表示されている有効画像および新たな画像データに基づく共有用映像が含む有効画像それぞれが縦長画像か若しくは横長画像かを示す情報との組み合わせに基づいて、配置パターン記憶部２０２から、配置パターンの候補を選択する（ステップＳ１５０５）。有効画像の画像数と、有効画像が縦長画像か若しくは横長画像かを示す情報と、の組み合わせに基づいて、配置パターンの候補を選択する方法は、上述の実施形態と同様である。
【００７０】
そして、表示領域管理部１４０３は、選択した配置パターンの候補が複数ある場合（ステップＳ１５０６：Ｙｅｓ）、上述の実施形態と同様にして、選択した複数の配置パターンの候補それぞれの評価値に基づいて配置パターンを選択する（ステップＳ１５０７）。一方、選択した配置パターンの候補が１つである場合（ステップＳ１５０６：Ｎｏ）または評価値に基づいて配置パターンが選択されると、映像合成部２０８は、第１の実施形態と同様にして、表示画面２１０ａに表示された有効画像を開始点Ｓから終着点Ｅへ連続的に移動させる（ステップＳ１５０８）。
【００７１】
例えば、配置パターンＰ１２１（図２参照）に従って有効画像Ａ〜Ｄが表示画面２１０ａに表示されている際に、新たな画像データが受信されると、表示領域管理部１４０３は、図１６に示すように、携帯端末装置１００における操作入力が最も少ない端末映像に対応する有効画像（例えば、有効画像Ａ）を、表示画面２１０ａに向かって当該表示画面２１０ａの左辺の外側に配置して非表示にする。さらに、表示領域管理部１４０３は、図１６に示すように、新たな画像データに基づく共有用映像が含む有効画像Ｅを、仮想平面上において表示画面２１０ａに向かって当該表示画面２１０ａの右辺の外側に配置する。そして、映像合成部２０８が、図１６に示すように、上述の実施形態と同様にして選択された配置パターン（例えば、配置パターンＰ１１２）に従って、有効画像Ｂ〜Ｅを表示画面２１０ａに表示させる。
【００７２】
このように、第４の実施形態にかかる情報処理装置１４００によれば、追加処理後の共有用映像の画像数が所定の上限画像数を超える場合に、ユーザが有効画像の表示位置を調整する必要がないので、追加処理後の共有用映像の画像数が所定の上限画像数を超えた際の利便性を向上させることができる。また、追加処理後の複数の共有用映像のうち重要性が高い共有用映像を表示画面２１０ａに優先的に表示させることができる。
【００７３】
本実施形態では、表示領域管理部１４０３は、追加処理後の共有用映像の画像数が所定の上限画像数を超えた場合に、携帯端末装置１００における操作入力が少ない端末映像に対応する有効画像を含む共有用映像の画像データの受信を停止させるとともに、当該共有用映像を非表示としているが、これに限定するものではない。例えば、表示領域管理部１４０３は、受信した画像データが動画像ストリームデータである場合に、表示画面２１０ａに対するスクロール操作に応じて共有用映像を表示画面２１０ａに対して表示したり非表示にしたりするとともに、非表示となっている共有用映像の動画像ストリームデータの受信を停止するとともに、スクロール操作により新たに表示された共有用映像の動画像ストリームデータの受信を再開するように構成することも可能である。
【００７４】
（変形例１）
本変形例は、追加処理後の共有用映像の画像数が所定の上限画像数を超える場合、複数の共有用映像の一部を重ね合わせて表示画面に表示させるとともに、複数の共有用映像のうち、携帯端末装置における更新回数が多い端末映像に対応する有効画像を含む共有用映像から順に手前に表示させる例である。以下、第４の実施形態と同様の箇所について説明を省略する。
【００７５】
図１７は、変形例１にかかる情報処理装置において追加処理に応じて複数の有効画像の一部を重ね合わせて表示画面に表示させる処理を説明するための図である。本変形例では、映像合成部２０８は、追加処理後の有効画像の画像数が所定の上限画像数を超える場合、図１７（ａ）に示すように、追加処理が実行された共有用映像の有効画像を含む複数の有効画像Ａ〜Ｅの一部を重ね合わせて表示画面２１０ａに表示させる。その際、映像合成部２０８は、映像受信部２０３により受信している画像データが動画像ストリームデータである場合には、図１７（ｂ）に示すように、複数の有効画像Ａ〜Ｅのうち、携帯端末装置２００における更新回数が多い端末映像に対応する有効画像から順に手前に表示させる。映像合成部２０８は、携帯端末装置１００から表示画面２１０ａに表示された有効画像に対応する端末映像の更新回数を予め取得しておくものとする。
【００７６】
このように、変形例１によれば、第４の実施形態と同様の作用効果を得ることができる。
【００７７】
（変形例２）
本変形例は、表示画面２１０ａに表示された複数の共有用映像のうち選択指示が入力された共有用映像を表示画面２１０ａに全画面表示させるとともに、当該全画面表示した共有用映像の一部に重ねて、当該全画面表示した共有用映像を除く複数の共有用映像を、配置パターンに従って表示させる例である。以下の説明では、上述の実施形態と同様の箇所については説明を省略する。
【００７８】
図１８は、変形例２にかかる情報処理装置において複数の有効画像のうち一の有効画像を全画面表示する処理を説明するための図である。本変形例では、映像合成部２０８は、図１８に示すように、表示画面２１０ａに表示された複数の有効画像Ａ〜Ｄのうち図示しない入力部を介して選択指示が入力された有効画像（例えば、有効画像Ｂ）を全画面表示させる。
【００７９】
表示領域管理部２０６は、複数の有効画像Ａ〜Ｄのうち選択指示が入力された有効画像が全画面表示されると、当該全画面表示された有効画像を除く複数の有効画像の画像数と、当該複数の有効画像それぞれが縦長画像か若しくは横長画像かを示す情報との組み合わせに基づいて、配置パターン記憶部２０２から配置パターンを選択する。配置パターンの選択方法は、上述の実施形態と同様である。
【００８０】
次いで、映像合成部２０８は、図１８に示すように、全画面表示された有効画像の一部に重ねて、選択した配置パターンに従って、当該全画面表示された有効画像を除く複数の有効画像を表示画面２１０ａに表示させる。
【００８１】
このように、変形例２によれば、表示画面２１０ａに表示された複数の有効画像のうち選択指示が入力された有効画像を表示画面２１０ａに全画面表示させた場合に、全画面表示した有効画像以外の他の有効画像も携帯端末装置１００と共有することができる。
【００８２】
以上説明したとおり、第１から第４の実施形態によれば、複数の携帯端末装置に表示された複数の端末映像に相当する有効画像を情報処理装置に表示させる際の利便性を向上させることができる。
【００８３】
なお、本実施形態の情報処理装置２００，９００，１１００，１４００で実行されるプログラムは、ＲＯＭ（Read  Only  Memory）等に予め組み込まれて提供される。また、本実施形態の情報処理装置２００，９００，１１００，１４００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００８４】
さらに、本実施形態の情報処理装置２００，９００，１１００，１４００で実行されるプログラムを、インターネット等のネットワークに接続されたコンピュータ上に格納し、ネットワーク経由でダウンロードさせることにより提供するように構成しても良い。また、本実施形態の情報処理装置２００，９００，１１００，１４００で実行されるプログラムをインターネット等のネットワーク経由で提供または配布するように構成しても良い。
【００８５】
本実施形態の情報処理装置２００，９００，１１００，１４００で実行されるプログラムは、上述した各部（映像受信部２０３、表示制御部２０４，９０２，１１０２，１４０２）を含むモジュール構成となっており、実際のハードウェアとしてはＣＰＵ（プロセッサ）が上記ＲＯＭからプログラムを読み出して実行することにより上記各部が主記憶装置上にロードされ、映像受信部２０３、表示制御部２０４，９０２，１１０２，１４０２が主記憶装置上に生成されるようになっている。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１００・・・携帯端末装置、１０１・・・表示部、１０１ａ・・・表示画面、１０２・・・映像送信部、２００，９００，１１００，１４００・・・情報処理装置、２０１，９０１，１１０１，１４０１・・・制御部、２０２・・・配置パターン記憶部、２０３・・・映像受信部、２０４，９０２，１１０２，１４０２・・・表示制御部、２０５・・・映像解析部、２０６，９０３，１１０３，１４０３・・・表示領域管理部、２０７・・・映像スケーラ、２０８・・・映像合成部、２１０・・・映像表示部、２１０ａ・・・表示画面。
【図１】
2015011578.tif 000003
【図２】
2015011578.tif 000004
【図３】
2015011578.tif 000005
【図４】
2015011578.tif 000006
【図５】
2015011578.tif 000007
【図６】
2015011578.tif 000008
【図７】
2015011578.tif 000009
【図８】
2015011578.tif 000010
【図９】
2015011578.tif 000011
【図１０】
2015011578.tif 000012
【図１１】
2015011578.tif 000013
【図１２】
2015011578.tif 000014
【図１３】
2015011578.tif 000015
【図１４】
2015011578.tif 000016
【図１５】
2015011578.tif 000017
【図１６】
2015011578.tif 000018
【図１７】
2015011578.tif 000019
【図１８】
2015011578.tif 000020